(57)【要約】【課題】隔壁の背面が透けて見えることがなく、隔壁の製造工程を簡単にでき、さらに、隔壁製造のために用いる部材点数を少なくでき、その結果コストの点で有利な情報表示用パネル及びその製造方法を提供する。【解決手段】少なくとも一方が透明である２枚の対向する基板間に、隔壁により互いに隔離されたセルを形成し、セル内に表示媒体を封入する構造を有する情報表示用パネルであって、感光性レジスト剤に感光波長（３６５ｎｍ近辺）とは異なる波長領域の波長を吸収する顔料を配合してなるドライフィルムレジスト（３２Ｒ、３２Ｇ、３２ＢＬ）を少なくとも１種類配置後にパターニングして作製した着色隔壁３３を作製する。【選択図】図６
2008107821.tif 000002
【特許請求の範囲】
【請求項１】
少なくとも一方が透明である２枚の対向する基板間に、隔壁により互いに隔離されたセルを形成し、セル内に表示媒体を封入する構造を有する情報表示用パネルであって、感光性レジスト剤に感光波長（３６５ｎｍ近辺）とは異なる波長領域の波長を吸収する顔料を配合してなるドライフィルムレジストを少なくとも１種類配置後にパターニングして作製した着色隔壁を有することを特徴とする情報表示用パネル。
【請求項２】
少なくとも一方が透明である２枚の対向する基板間に、隔壁により互いに隔離されたセルを形成し、セル内に表示媒体を封入する構造を有する情報表示用パネルであって、感光性レジスト剤に感光波長（３６５ｎｍ近辺）とは異なる波長領域の波長を吸収する顔料を配合してなるドライフィルムレジストを少なくとも２種類以上配置後にパターニングして作製した着色隔壁を有することを特徴とする情報表示用パネル。
【請求項３】
青色顔料を配合した１種類のドライフィルムレジストを配置後にパターニングして作製した着色隔壁を有することを特徴とする請求項１に記載の情報表示用パネル。
【請求項４】
赤色顔料を配合した１種類のドライフィルムレジストを配置後にパターニングして作製した着色隔壁を有することを特徴とする請求項１に記載の情報表示用パネル。
【請求項５】
緑色顔料を配合した１種類のドライフィルムレジストを配置後にパターニングして作製した着色隔壁を有することを特徴とする請求項１に記載の情報表示用パネル。
【請求項６】
シアン顔料を配合した１種類のドライフィルムレジストを配置後にパターニングして作製した着色隔壁を有することを特徴とする請求項１に記載の情報表示用パネル。
【請求項７】
マゼンタ顔料を配合した１種類のドライフィルムレジストを配置後にパターニングして作製した着色隔壁を有することを特徴とする請求項１に記載の情報表示用パネル。
【請求項８】
イエロー顔料を配合した１種類のドライフィルムレジストを配置後にパターニングして作製した着色隔壁を有することを特徴とする請求項１に記載の情報表示用パネル。
【請求項９】
青色顔料を配合した青色ドライフィルムレジスト、緑色顔料を配合した緑色ドライフィルムレジスト、赤色顔料を配合した赤色ドライフィルムレジスト、の３種類のドライフィルムレジストを積層配置後にパターニングして作製した着色隔壁を有することを特徴とする請求項２に記載の情報表示用パネル。
【請求項１０】
シアン顔料を配合したシアン色ドライフィルムレジスト、マゼンタ顔料を配合したマゼンタ色ドライフィルムレジスト、イエロー顔料を配合したイエロー色ドライフィルムレジスト、の３種類のドライフィルムレジストを積層配置後にパターニングして作製した着色隔壁を有することを特徴とする請求項２に記載の情報表示用パネル。
【請求項１１】
少なくとも一方が透明である２枚の対向する基板間に、隔壁により互いに隔離されたセルを形成し、セル内に表示媒体を封入する構造を有する情報表示用パネルの製造方法において、感光性レジスト剤に感光波長（３６５ｎｍ近辺）とは異なる波長領域の波長を吸収する顔料を配合してなるドライフィルムレジストを準備し、少なくとも一方の基板上に少なくとも１種類のドライフィルムレジストを積層し、基板上のドライフィルムレジストに対しマスクを介して露光した後、現像・洗浄することにより、基板上に着色隔壁を作製したことを特徴とする情報表示用パネルの製造方法。
【発明の詳細な説明】
【技術分野】
【０００１】
本発明は、少なくとも一方が透明である２枚の対向する基板間に、隔壁により互いに隔離されたセルを形成し、セル内に表示媒体を封入する構造を有する情報表示用パネル及びその製造方法に関するものである。
【背景技術】
【０００２】
従来、少なくとも一方が透明である２枚の対向する基板間に、隔壁により互いに隔離されたセルを形成し、セル内に表示媒体を封入する構造を有する情報表示用パネルの製造方法として種々のものが知られている。図１９（ａ）〜（ｃ）はそれぞれ従来の情報表示用パネルにおける隔壁の形成方法の一例を説明するための図である。従来の情報表示用パネルにおいては、まず、図１９（ａ）に示すように、基板５１と透明な感光性フィルムレジスト剤からなるドライフィルムレジスト５２とを準備する。次に、図１９（ｂ）に示すように、基板５１とドライフィルムレジスト５２とを熱ラミネートして積層する。次に、図１９（ｃ）に示すように、基板５１上に積層したドライフィルムレジスト５２に対しマスクを介して露光した後、現像・洗浄するフォトリソ法により、基板５１上に隔壁５３を形成している。この場合、図２０に示すように、隔壁５３が透明であるため、基板５１が透明であると背面が透けて見えてしまうという問題があった。
【０００３】
この問題点を解決するために、黒色のレジスト剤と隔壁形成用レジスト剤とを積層する工法が知られている（例えば、特許文献１参照）。図２１（ａ）〜（ｄ）はそれぞれ従来の情報表示用パネルにおける隔壁の形成方法の他の例を説明するための図である。本例では、まず、図２１（ａ）に示すように、基板５１上にスピンコートにて黒色の感光性レジスト剤からなるドライフィルムレジスト５４を設ける。次に、図２１（ｂ）に示すように、準備した基板５１上にドライフィルムレジスト５４を設けた部材に加え、透明な感光性フィルムレジスト剤からなるドライフィルムレジスト５５を準備する。次に、図２１（ｃ）に示すように、基板５１上にドライフィルムレジスト５４を設けた部材とドライフィルムレジスト５５とを熱ラミネートして積層する。次に、図２１（ｄ）に示すように、基板５１上に形成したドライフィルムレジスト５４、５５に対しマスクを介して露光した後、現像・洗浄するフォトリソ法により、基板５１上に着色隔壁５６を形成している。
【特許文献１】国際公開ＷＯ２００５／０１５８９２号のパンフレット
【発明の開示】
【発明が解決しようとする課題】
【０００４】
上述した特許文献１に示す例では、図２２に示すように、背面の隠蔽性は良好である。しかしながら、上述した構成の例えば黒色の感光性レジスト剤からなる層は、あまり厚すぎると感光波長領域の波長も吸収してしまい隔壁を形成できないため１〜３μｍの厚さとする必要があるが、そのような厚さの感光性レジスト剤からなる層はシートでは得ることができず、スピンコートにより形成せざるをえなかった。そのため、工程が複雑で高価となる問題、２つの異なる材料の感光特性を合わせることが難しい問題、部材点数が多く高価となる問題などが発生していた。
【０００５】
本発明の目的は上述した問題点を解消して、隔壁の背面が透けて見えることがなく、隔壁の製造工程を簡単にでき、さらに、隔壁製造のために用いる部材点数を少なくでき、その結果コストの点で有利な情報表示用パネル及びその製造方法を提供しようとするものである。
【課題を解決するための手段】
【０００６】
本発明の情報表示用パネルは、少なくとも一方が透明である２枚の対向する基板間に、隔壁により互いに隔離されたセルを形成し、セル内に表示媒体を封入する構造を有する情報表示用パネルであって、感光性レジスト剤に感光波長（３６５ｎｍ近辺）とは異なる波長領域の波長を吸収する顔料を配合してなるドライフィルムレジストを少なくとも１種類配置後にパターニングして作製した着色隔壁を有することを特徴とするものである。
【０００７】
また、本発明の情報表示用パネルは、少なくとも一方が透明である２枚の対向する基板間に、隔壁により互いに隔離されたセルを形成し、セル内に表示媒体を封入する構造を有する情報表示用パネルであって、感光性レジスト剤に感光波長（３６５ｎｍ近辺）とは異なる波長領域の波長を吸収する顔料を配合してなるドライフィルムレジストを少なくとも２種類以上配置後にパターニングして作製した着色隔壁を有することを特徴とするものである。
【０００８】
さらに、本発明の情報表示用パネルの製造方法は、少なくとも一方が透明である２枚の対向する基板間に、隔壁により互いに隔離されたセルを形成し、セル内に表示媒体を封入する構造を有する情報表示用パネルの製造方法において、感光性レジスト剤に感光波長（３６５ｎｍ近辺）とは異なる波長領域の波長を吸収する顔料を配合してなるドライフィルムレジストを準備し、少なくとも一方の基板上に少なくとも１種類のドライフィルムレジストを積層し、基板上のドライフィルムレジストに対しマスクを介して露光した後、現像・洗浄することにより、基板上に着色隔壁を作製したことを特徴とするものである。
【０００９】
なお、本発明の情報表示用パネルの好適例としては、青色顔料を配合した１種類のドライフィルムレジストを配置後にパターニングして作製した着色隔壁を有すること、赤色顔料を配合した１種類のドライフィルムレジストを配置後にパターニングして作製した着色隔壁を有すること、緑色顔料を配合した１種類のドライフィルムレジストを配置後にパターニングして作製した着色隔壁を有すること、シアン顔料を配合した１種類のドライフィルムレジストを配置後にパターニングして作製した着色隔壁を有すること、マゼンタ顔料を配合した１種類のドライフィルムレジストを配置後にパターニングして作製した着色隔壁を有すること、イエロー顔料を配合した１種類のドライフィルムレジストを配置後にパターニングして作製した着色隔壁を有すること、がある。
【００１０】
また、本発明の情報表示用パネルの好適例としては、青色顔料を配合した青色ドライフィルムレジスト、緑色顔料を配合した緑色ドライフィルムレジスト、赤色顔料を配合した赤色ドライフィルムレジスト、の３種類のドライフィルムレジストを積層配置後にパターニングして作製した着色隔壁を有すること、シアン顔料を配合したシアン色ドライフィルムレジスト、マゼンタ顔料を配合したマゼンタ色ドライフィルムレジスト、イエロー顔料を配合したイエロー色ドライフィルムレジスト、の３種類のドライフィルムレジストを積層配置後にパターニングして作製した着色隔壁を有すること、がある。
【発明の効果】
【００１１】
本発明によれば、感光性レジスト剤に感光波長（３６５ｎｍ近辺）とは異なる波長領域の波長を吸収する顔料を配合してなるドライフィルムレジストを少なくとも１種類配置後にパターニングして作製した着色隔壁を有することで、感光性レジスト剤に感光波長（３６５ｎｍ近辺）とは異なる波長領域の波長を吸収する顔料を配合してなるドライフィルムレジストを少なくとも２種類以上配置後にパターニングして作製した着色隔壁を有することで、また、感光性レジスト剤に感光波長（３６５ｎｍ近辺）とは異なる波長領域の波長を吸収する顔料を配合してなるドライフィルムレジストを準備し、一方の基板上に少なくとも１種類のドライフィルムレジストを積層し、基板上のドライフィルムレジストに対しマスクを介して露光した後、現像・洗浄することにより、基板上に着色隔壁を作製する製造方法としたことで、隔壁の背面が透けて見えることがなく、隔壁の製造工程を簡単にでき、さらに、隔壁製造のために用いる部材点数を少なくでき、その結果コストの点で有利な情報表示用パネルおよびその製造方法を得ることができる。
【発明を実施するための最良の形態】
【００１２】
まず、本発明の対象となる情報表示用パネルの基本的な構成について説明する。本発明の対象となる情報表示用パネルでは、対向する２枚の基板間の隔壁で囲まれたセル空間に封入した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、表示情報を書き換える時あるいは表示した情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１３】
本発明の情報表示用パネルの例を、図１（ａ）、（ｂ）〜図５（ａ）、（ｂ）に基づき説明する。
【００１４】
図１（ａ）、（ｂ）に示す例では、少なくとも１種以上の粒子から構成される光学的反射率および帯電特性の異なる粒子群として構成した表示媒体３を少なくとも２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）、隔壁４で形成された各セルに封入し、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。
【００１５】
図２（ａ）、（ｂ）に示す例では、少なくとも１種以上の粒子から構成される光学的反射率および帯電特性の異なる粒子群として構成した表示媒体３を少なくとも２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）、隔壁４で形成された各セルに封入し、基板１に設けた電極５（ライン電極）と基板２に設けた電極６（ライン電極）との間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。
【００１６】
図３（ａ）、（ｂ）に示す例では、少なくとも１種以上の粒子から構成される少なくとも光学的反射率と帯電性を有する粒子群として構成した表示媒体３を１種類（ここでは白色表示媒体用粒子３Ｗａの粒子群からなる白色表示媒体３Ｗを示す）、隔壁４で形成された各セルに封入し、基板１に設けた電極５と電極６との間に電圧を印加することにより発生する電界に応じて、基板１、２と平行方向に移動させる。そして、図３（ａ）に示すように、白色表示媒体３Ｗを観察者に視認させて白色ドット表示を行うか、あるいは、図３（ｂ）に示すように、黒色板７の色を観察者に視認させて黒色ドット表示を行っている。なお、図３（ａ）、（ｂ）に示す例では、手前にある隔壁は省略している。
【００１７】
図４（ａ）〜（ｄ）に示す例では、まず、図４（ａ）、（ｃ）に示すように、少なくとも１種以上の粒子から構成される光学的反射率および帯電特性の異なる粒子群として構成した表示媒体３を少なくとも２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）、隔壁４で形成された各セルに封入し、基板１の外側に設けた外部電界形成手段１１と基板２の外側に設けた外部電界形成手段１２との間に電圧を印加することにより発生する電界に応じて、基板１、２と垂直に移動させる。そして、図４（ｂ）に示すように白色表示媒体３Ｗを観察者に視認させて白色ドット表示を行うか、あるいは、図４（ｄ）に示すように黒色表示媒体３Ｂを観察者に視認させて黒色ドット表示を行っている。なお、図４（ａ）〜（ｄ）において、手前にある隔壁は省略している。また、基板１の内側には導電部材１３を設けるとともに、基板２の内側には導電部材１４を設けている。この導電部材は設けなくても良い。
【００１８】
図５（ａ）、（ｂ）に示す例では、三個のセルで表示単位（１ドット）を構成するカラー表示の例を示している。図５（ａ）、（ｂ）に示す例では、表示媒体としてはすべてのセル２１−１〜２１−３に白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２ＢＬを設け、第１のセル２１−１、第２のセル２１−２および第３のセル２１−３の三個のセルで表示単位（１ドット）を構成している。本例では、図５（ａ）に示すように、観察者側に、すべての第１セル２１−１〜第３のセル２１−３において白色表示媒体３Ｗを移動することで、観察者に対し白色ドット表示を行うか、あるいは、図５（ｂ）に示すように、観察者側に、すべての第１セル２１−１〜第３のセル２１−３において黒色表示媒体３Ｂを移動することで、観察者に対し黒色ドット表示を行っている。なお、図５（ａ）、（ｂ）において、手前にある隔壁は省略している。
【００１９】
以上の説明は、粒子群からなる白色表示媒体３Ｗを粉流体からなる白色表示媒体に、粒子群からなる黒色表示媒体３Ｂを粉流体からなる黒色表示媒体に、それぞれ置き換えた場合も同様に適用することが出来る。粉流体については後述する。
【００２０】
本発明の情報表示用パネルの特徴は、感光性レジスト剤に感光波長（３６５ｎｍ近辺）とは異なる波長領域の波長を吸収する顔料を配合してなるドライフィルムレジストを少なくとも１種類配置後にパターニングして作製した着色隔壁を有する点、または、感光性レジスト剤に感光波長（３６５ｎｍ近辺）とは異なる波長領域の波長を吸収する顔料を配合してなるドライフィルムレジストを少なくとも２種類以上配置後にパターニングして作製した着色隔壁を有する点にある。また、本発明の情報表示用パネルの製造方法の特徴は、上述した構成の種々の情報表示用パネルにおいて隔壁を形成する際に、感光性レジスト剤に感光波長（３６５ｎｍ近辺）とは異なる波長領域の波長を吸収する顔料を配合してなるドライフィルムレジストを準備し、一方の基板上に少なくとも１種類のドライフィルムレジストを積層し、基板上のドライフィルムレジストに対しマスクを介して露光した後、現像・洗浄することにより、基板上に着色隔壁を作製する点にある。以下、実際の具体的な例について説明する。
【００２１】
図６（ａ）〜（ｃ）はそれぞれ本発明の情報表示用パネルにおける隔壁の形成方法の一例を説明するための図である。本発明の情報表示用パネルの一例においては、まず、図６（ａ）に示すように、基板３１と、赤色顔料を配合した感光性フィルムレジスト剤からなる赤色ドライフィルムレジスト３２Ｒ、緑色顔料を配合した感光性フィルムレジスト剤からなる緑色ドライフィルムレジスト３２Ｇ、青色顔料を配合した感光性フィルムレジスト剤からなる青色ドライフィルムレジスト３２ＢＬ、とを準備する。次に、図６（ｂ）に示すように、基板３１と、赤色ドライフィルムレジスト３２Ｒ、緑色ドライフィルムレジスト３２Ｇ、青色ドライフィルムレジスト３２ＢＬとを、熱ラミネートして積層する。次に、図６（ｃ）に示すように、基板３１上に積層した、赤色ドライフィルムレジスト３２Ｒ、緑色ドライフィルムレジスト３２Ｇ、青色ドライフィルムレジスト３２ＢＬに対しマスクを介して露光した後、現像・洗浄するフォトリソ法により、基板３１上に隔壁３３を形成している。積層の順番は上述した順番に限るものではない。
【００２２】
この場合、図７に示すように、赤色ドライフィルムレジスト３２Ｒ、緑色ドライフィルムレジスト３２Ｇ、青色ドライフィルムレジスト３２ＢＬを積層してなる隔壁１３は、上から見ると黒色に見え、背面の隠蔽性が良好となる。また、本例では、上述した従来例と比べて、工程もシンプルになる。なお、本例において、赤色顔料、緑色顔料、青色顔料は、いずれも、感光波長（３６５ｎｍ近辺）とは異なる波長領域の波長を吸収する顔料である。上述したＲＧＢ３色のレジストフィルムでの形成例としては、各１５μｍ厚のレジストフィルムを積層して、高さ４５μｍの着色隔壁とした例、各１０μｍ厚のレジストフィルムを積層して、高さ３０μｍの着色隔壁とした例、各１０μｍ厚のレジストフィルムを積層し、さらに、１０μｍ厚の透明レジストフィルムを積層して、高さ４０μｍの着色隔壁とした例がある。
【００２３】
図８（ａ）〜（ｃ）はそれぞれ本発明の情報表示用パネルにおける隔壁の形成方法の他の例を説明するための図である。本発明の情報表示用パネルの他の例においては、まず、図８（ａ）に示すように、基板４１と、青色顔料を５０ｗｔ％配合した青色の感光性フィルムレジスト剤からなる青色ドライフィルムレジスト４２ＢＬと、を準備する。次に、図８（ｂ）に示すように、基板４１と青色ドライフィルムレジスト４２ＢＬとを、熱ラミネートして積層する。次に、図８（ｃ）に示すように、基板４１上に積層した青色ドライフィルムレジスト４２ＢＬに対しマスクを介して露光した後、現像・洗浄するフォトリソ法により、基板４１上に隔壁４３を形成している。
【００２４】
この場合、図９に示すように、隔壁４３の不透明性を確保することができる。また、本例では、上述した従来例と比べて、工程もシンプルになる。なお、本例において、青色顔料は感光波長（３６５ｎｍ近辺）とは異なる波長領域の波長を吸収する顔料である。上述したＢＬ色のレジストフィルムでの形成例としては、４０μｍ厚のレジストフィルムを用いて、高さ４０μｍの着色隔壁とした例、５０μｍ厚のレジストフィルムを用いて、高さ５０μｍ厚の着色隔壁とした例、５０μｍ厚のレジストフィルムを積層し、さらに、５０μｍ厚の透明レジストフィルムを積層して、高さ１００μｍの着色隔壁とした例がある。
【００２５】
上述した本発明例において、そのまま使用されるか、あるいは、赤色顔料、緑色顔料、青色顔料を配合して使用されるドライフィルムレジストとしては、一例として、アルフォＮＩＴ２（ニチゴーモートン社製）やＰＤＦ３００（新日鐵化学社製）を使用することができる。また、着色顔料は上述した例に限定されるものではなく、本発明の構成要件である感光波長（３６５ｎｍ近辺）とは異なる波長領域の波長を吸収する顔料であればどのような顔料でも使用することができる。そのような他のドライフィルムレジストの例として、シアン顔料を配合したシアン色ドライフィルムレジスト、マゼンタ顔料を配合したマゼンタ色ドライフィルムレジスト、イエロー顔料を配合したイエロー色ドライフィルムレジスト、の３種類のドライフィルムレジストを用いることもできる。
【００２６】
次に、実際に着色隔壁を設けた本発明の情報表示用パネルの構成について説明する。図１０（ａ）、（ｂ）〜図１５（ａ）、（ｂ）はそれぞれ着色隔壁を設けた本発明の情報表示用パネルの構成の一例を説明するための図である。図１０（ａ）、（ｂ）〜図１５（ａ）、（ｂ）の各例において、図１（ａ）、（ｂ）〜図５（ａ）、（ｂ）に示す例と同一の部材には同一の符号を付し、その説明を省略する。
【００２７】
図１０（ａ）、（ｂ）に示す例は、図２（ａ）、（ｂ）に示す例と同様に、ライン電極５、６からなる情報表示用パネルを示している。そして、図１０（ａ）に示す例では、青色の隔壁４３を形成している。また、図１０（ｂ）に示す例では、隔壁４の基板２と接する上側端部分が青色の隔壁４３を形成している。図１１（ａ）〜（ｄ）に示す例は、図４（ａ）〜（ｄ）に示す例と同様に、外部電界形成手段１１、１２を用いる情報表示用パネルを示している。そして、図１１（ａ）、（ｂ）に示す例では、隔壁４の基板２と接する上側端部分が青色の隔壁４３を形成している。また、図１１（ｃ）、（ｄ）に示す例では、青色の隔壁４３を形成している。図１２（ａ）、（ｂ）に示す例は、図３（ａ）、（ｂ）に示す例と同様に、黒色板７と白色表示媒体３Ｗからなる情報表示用パネルを示している。そして、図１２（ａ）に示す例では、隔壁４の基板２と接する上側端部分が青色の隔壁４３を形成している。また、図１２（ｂ）に示す例では、青色の隔壁４３を形成している。
【００２８】
図１３および図１４に示す例では、図２（ａ）、（ｂ）に示す例と同様に、ライン電極５、６を用いて白黒表示を行う他の例を説明している。図１３に示す例では、図２（ａ）、（ｂ）で示す白色表示媒体３Ｗと黒色表示媒体３Ｂとを充填した隔壁４で形成されたセルの代わりに、白色表示媒体３Ｗと黒色表示媒体３Ｂとを絶縁液体８とともに内部に充填したマイクロカプセル９を用いている。また、図１４に示す例では、図２（ａ）、（ｂ）で示す白色表示媒体３Ｗと黒色表示媒体３Ｂとを充填した隔壁４で形成されたセルの代わりに、白色と黒色とを半々に塗り分け、極性も互いに反対となるように構成した回転ボール１０を表示媒体として絶縁液体８とともに内部に充填したマイクロカプセル９を用いている。図１３および図１４に示すいずれの例も、図２（ｂ）に示す例と同様に、白黒表示を行うことができる。そして、図１３に示す例では、青色の隔壁４３を形成している。また、図１４に示す例では、青色の隔壁４３を形成している。
【００２９】
図１５（ａ）、（ｂ）に示す例は、図５（ａ）、（ｂ）に示す例と同様に、ＲＧＢ三原色のカラーフィルター２２Ｒ、２２Ｇ、２２ＢＬを用いる情報表示用パネルを示している。そして、図１５（ａ）に示す例では、隔壁４の基板２と接する上側端部分が青色の隔壁４３を形成している。また、図１５（ｂ）に示す例では、青色の隔壁４３を形成している。
なお、図１０（ａ）、（ｂ）〜図１５（ａ）、（ｂ）に示す例では、青色の隔壁４３を用いた例を示したが、ＲＧＢ３色からなる隔壁３３やその他の色の隔壁をも好適に用いることができる。
【００３０】
１６（ａ）、（ｂ）および図１７（ａ）、（ｂ）はそれぞれ本発明の情報表示用パネルおよび従来の情報表示用パネルのさらに他の例を説明するための図である。
【００３１】
図１６（ａ）、（ｂ）に示す例においては、それぞれ、白色表示媒体と黒色表示媒体とを各セルに充填して、白色表示時の状態および黒色表示時の状態を示している。図１６（ａ）に示す例は、黒色の隔壁４５Ｂを用いた本発明の実施例を示しており、黒色の隔壁４５Ｂの反射率は白色表示媒体の反射率以下であり、黒色の隔壁４５Ｂの透過率は１０％である。そのため、図１６（ａ）に示す本発明例では、白色表示時と黒色表示時とのコントラストは１０と良好である。図１６（ｂ）に示す例は、透明の隔壁４５Ｔを用いた従来例を示しており、透明の隔壁４５Ｔの反射率は白色表示媒体の反射率以下だが、透明の隔壁４５Ｔの透過率は８０％である。図１６（ｂ）に示す従来例では、透明の隔壁４５Ｔの透過率が高いために背面の光を透過し、コントラストが３と悪い。
【００３２】
図１７（ａ）、（ｂ）に示す例においては、それぞれ、白色表示媒体と赤色表示媒体とを各セルに充填して、白色表示時の状態および赤色表示時の状態を示している。図１７（ａ）に示す例は、赤色の隔壁４５Ｒを用いた本発明の実施例を示しており、赤色の隔壁４５Ｒの反射率は白色表示媒体の反射率以下であり、赤色の隔壁４５Ｒの透過率は３０％である。そのため、図１７（ａ）に示す本発明例では、白色表示時と赤色表示時とのコントラストは８と良好である。図１７（ｂ）に示す例は、透明の隔壁４５Ｔを用いた従来例を示しており、透明の隔壁４５Ｔの反射率は白色表示媒体の反射率以下だが、透明の隔壁４５Ｔの透過率は８０％である。図１７（ｂ）に示す従来例では、透明の隔壁４５Ｔの透過率が高いために背面の光を透過し、コントラストが２と悪い。
【００３３】
以下、本発明の製造方法の対象となる情報表示用パネルを構成する各部材について説明する。
【００３４】
基板については、少なくとも一方の観察側基板は情報表示用パネル外側から表示媒体の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるものや、ガラスシート、石英シートのような可とう性のないものが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００３５】
基板に電極を設ける場合の電極形成材料としては、アルミニウム、銀、ニッケル、銅、金等の金属類や酸化インジウム錫（ＩＴＯ）、亜鉛ドープ酸化インジウム（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され適宜選択して用いられる。電極の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。観察側であり透明である必要のある表示面側基板２に設ける電極は透明である必要があるが、背面側基板１に設ける電極は透明である必要はない。いずれの場合もパターン形成可能で導電性である上記材料を好適に用いることができる。なお、表示面側に設ける電極厚みは、導電性が確保でき光透過性に支障がなければ良く、０．０１〜１００μｍが好ましく、０．０５〜５０μｍがより好ましい。背面側基板１に設ける電極の材質や厚みなどは上述した表示面側基板に設ける電極と同様であるが、光透過性がなくてもよい。また、この場合の外部電圧入力は、直流あるいは交流を重畳しても良い。
【００３６】
隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図１８に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示状態の鮮明さが増す。
【００３７】
次に、本発明の製造方法の対象となる情報表示用パネルで表示媒体として例えば用いる粉流体について説明する。なお、本発明の情報表示用パネルで用いる粉流体の名称については、本出願人が「電子粉流体（登録商標）：登録番号4636931」の権利を得ている。
【００３８】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００３９】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００４０】
本発明の対象となる情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、粉体の流動性を示す指数である安息角を測定できないほど流動性に富んだ状態を示すものであり、低電圧の印加等で形成される電界でクーロン力などにより容易に安定して移動させることができる。
本発明に表示媒体として例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態を容易に作り出せる表示媒体として用いられる。
【００４１】
次に、本発明の対象となる情報表示用パネルにおいて表示媒体を構成する表示用有色粒子（以下、粒子ともいう）について説明する。表示用有色粒子は、そのまま該表示用有色粒子だけで構成して表示媒体としたり、その他の粒子と合わせて構成して表示媒体としたり、粉流体となるように調整したりして用いられる。
粒子は、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００４２】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００４３】
荷電制御剤（ＣＣＡ）としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００４４】
着色剤としては、以下に例示するような、有機または無機の各種、各色の顔料、染料が使用可能である。
【００４５】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００４６】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００４７】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４８】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
上記した各種着色剤を配合して所望の色の表示用有色粒子を作製できる。
【００４９】
また、表示用有色粒子（以下、粒子ともいう）は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００５０】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００５１】
さらにまた、使用した表示用有色粒子の内、最大径を有する粒子のd(0.5)に対する最小径を有する粒子のd(0.5)の比を１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００５２】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００５３】
表示用有色粒子の帯電量は当然その測定条件に依存するが、情報表示用パネルにおける表示用有色粒子の帯電量はほぼ、初期帯電量、隔壁との接触、基板との接触、経過時間に伴う電荷減衰に依存し、特に表示用有色粒子の帯電挙動の飽和値が支配因子となっているということが分かった。
【００５４】
本発明者らは鋭意検討の結果、ブローオフ法において同一のキャリア粒子を用いて、表示媒体に用いる粒子の帯電量測定を行うことにより、表示用有色粒子の適正な帯電特性値の範囲を評価できることを見出した。
【００５５】
更に、表示用有色粒子で構成する表示媒体を気体中空間で駆動する情報表示用パネルでは、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば図１（ａ）、（ｂ）〜図３（ａ）、（ｂ）において、対向する基板１、基板２に挟まれる部分から、電極５、６（電極を基板の内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００５６】
本発明の対象となる情報表示用パネルの表示媒体を、帯電粒子を含んだ粒子群または粉流体とした場合には、基板と基板との間隔（言い換えれば隔壁の高さ）は、１０〜１００μｍ、好ましくは１０〜５０μｍに調製されるが、他の表示媒体の場合には、表示媒体が移動できて、コントラストを維持できればよく、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【産業上の利用可能性】
【００５７】
本発明の対象となる情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、リライタブルペーパー（外部電界形成手段を用いて書換えできる）としても好適に用いられる。
【００５８】
なお、本発明の対象となる情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界を用いた外部電界駆動方式など、種々のタイプの駆動方式を適用できる。
【図面の簡単な説明】
【００５９】
【図１】（ａ）、（ｂ）はそれぞれ本発明の対象となる情報表示用パネルの一例を示す図である。
【図２】（ａ）、（ｂ）はそれぞれ本発明の対象となる情報表示用パネルの他の例を示す図である。
【図３】（ａ）、（ｂ）はそれぞれ本発明の対象となる情報表示用パネルのさらに他の例を示す図である。
【図４】（ａ）〜（ｄ）はそれぞれ本発明の対象となる情報表示用パネルのさらに他の例を示す図である。
【図５】（ａ）、（ｂ）はそれぞれ本発明の対象となる情報表示用パネルのさらに他の例を示す図である。
【図６】（ａ）〜（ｃ）はそれぞれ本発明の情報表示用パネルにおける隔壁の形成方法の一例を説明するための図である。
【図７】図６（ａ）〜（ｃ）に示す工程で製造した情報表示用パネルの一例を説明するための図である。
【図８】（ａ）〜（ｃ）はそれぞれ本発明の情報表示用パネルにおける隔壁の形成方法の他の例を説明するための図である。
【図９】図８（ａ）〜（ｃ）に示す工程で製造した情報表示用パネルの一例を説明するための図である。
【図１０】（ａ）、（ｂ）はそれぞれ着色隔壁を設けた本発明の情報表示用パネルの構成の一例を説明するための図である。
【図１１】（ａ）〜（ｄ）はそれぞれ着色隔壁を設けた本発明の情報表示用パネルの構成の他の例を説明するための図である。
【図１２】（ａ）、（ｂ）はそれぞれ着色隔壁を設けた本発明の情報表示用パネルの構成のさらに他の例を説明するための図である。
【図１３】着色隔壁を設けた本発明の情報表示用パネルの構成のさらに他の例を説明するための図である。
【図１４】着色隔壁を設けた本発明の情報表示用パネルの構成のさらに他の例を説明するための図である。
【図１５】（ａ）、（ｂ）はそれぞれ着色隔壁を設けた本発明の情報表示用パネルの構成のさらに他の例を説明するための図である。
【図１６】（ａ）、（ｂ）はそれぞれ本発明の情報表示用パネルおよび従来の情報表示用パネルのさらに他の例を説明するための図である。
【図１７】（ａ）、（ｂ）はそれぞれ本発明の情報表示用パネルおよび従来の情報表示用パネルのさらに他の例を説明するための図である。
【図１８】本発明の対象となる情報表示用パネルにおける隔壁の形状の一例を示す図である。
【図１９】（ａ）〜（ｃ）はそれぞれ従来の情報表示用パネルにおける隔壁の形成方法の一例を説明するための図である。
【図２０】図１９（ａ）〜（ｃ）に示す工程で製造した従来の情報表示用パネルの一例を説明するための図である。
【図２１】（ａ）〜（ｄ）はそれぞれ従来の情報表示用パネルにおける隔壁の形成方法の他の例を説明するための図である。
【図２２】図２１（ａ）〜（ｄ）に示す工程で製造した従来の情報表示用パネルの一例を説明するための図である。
【符号の説明】
【００６０】
１、２  基板
３  表示媒体（粒子群、粉流体）
３Ｗ  白色表示媒体
３Ｗａ  表示用白色粒子
３Ｂ  黒色表示媒体
３Ｂａ  表示用黒色粒子
４  隔壁
５、６  電極
７  黒色板
８  絶縁液体
９  マイクロカプセル
１０  回転ボール
１１、１２  外部電界形成手段
１３、１４  導電部材
２１−１  第１のセル
２１−２  第２のセル
２１−３  第３のセル
２２Ｒ  赤色カラーフィルター
２２Ｇ  緑色カラーフィルター
２２ＢＬ  青色カラーフィルター
３１、４１  基板
３２Ｒ  赤色ドライフィルムレジスト
３２Ｇ  緑色ドライフィルムレジスト
３２ＢＬ、４２ＢＬ  青色ドライフィルムレジスト
３３、４３  隔壁
４５Ｂ  黒色の隔壁
４５Ｒ  赤色の隔壁
４５Ｔ  透明の隔壁
【図１】
2008107821.tif 000003
【図２】
2008107821.tif 000004
【図３】
2008107821.tif 000005
【図４】
2008107821.tif 000006
【図５】
2008107821.tif 000007
【図６】
2008107821.tif 000008
【図７】
2008107821.tif 000009
【図８】
2008107821.tif 000010
【図９】
2008107821.tif 000011
【図１０】
2008107821.tif 000012
【図１１】
2008107821.tif 000013
【図１２】
2008107821.tif 000014
【図１３】
2008107821.tif 000015
【図１４】
2008107821.tif 000016
【図１５】
2008107821.tif 000017
【図１６】
2008107821.tif 000018
【図１７】
2008107821.tif 000019
【図１８】
2008107821.tif 000020
【図１９】
2008107821.tif 000021
【図２０】
2008107821.tif 000022
【図２１】
2008107821.tif 000023
【図２２】
2008107821.tif 000024